Podtech/llm-jp-corpus-v4-ja_patent huggingface dataset:
【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
ヒュームドシリカと混合された不揮発性シリコーン流動体および抗菌作用性物質を含んでなる組成物を含む創傷被覆材。
【請求項２】
前記不揮発性シリコーン流動体はシリコーンポリマーを含む、請求項１に記載の創傷被覆材。
【請求項３】
前記シリコーンポリマーは直鎖ジメチコーンである請求項２に記載の創傷被覆材。
【請求項４】
前記不揮発性シリコーン流動体の量は前記組成物の２０重量％以上である、請求項１〜３のいずれか１項に記載の創傷被覆材。
【請求項５】
前記ヒュームドシリカの量は前記組成物の０．２５重量％以上である、請求項１〜４のいずれか１項に記載の創傷被覆材。
【請求項６】
不揮発性シリコーン流動体とヒュームドシリカとの前記混合物は０．２５重量％以上のヒュームドシリカを含む、請求項１〜５のいずれか１項に記載の創傷被覆材。
【請求項７】
不揮発性シリコーン流動体とヒュームドシリカとの前記混合物は１２重量％以下のヒュームドシリカを含む、請求項１〜６のいずれか１項に記載の創傷被覆材。
【請求項８】
前記抗菌作用性物質の量は前記組成物の０．１重量％以上である、請求項１〜７のいずれか１項に記載の創傷被覆材。
【請求項９】
前記抗菌作用性物質の量は前記組成物の５０重量％以下である、請求項１〜８のいずれか１項に記載の創傷被覆材。
【請求項１０】
前記抗菌作用性物質は固体の形状である、請求項１〜９のいずれか１項に記載の創傷被覆材。
【請求項１１】
前記抗菌作用性物質は粉末の形状である、請求項１０に記載の創傷被覆材。
【請求項１２】
前記抗菌作用性物質は抗生性ゼオライトである、請求項１〜１１のいずれか１項に記載の創傷被覆材。
【請求項１３】
前記抗生性ゼオライトは、銀イオン、銅イオン、亜鉛イオン、またはこれらイオンの２種類以上の組み合わせよりなる群より選択される抗生作用を有する金属イオンと完全にまたは部分的にイオン交換されているイオン交換可能なイオンを含む、請求項１２に記載の創傷被覆材。
【請求項１４】
前記ゼオライト中の抗生作用を有する金属イオンの量は該ゼオライトの重量を基準として０．１重量％以上である、請求項１３に記載の創傷被覆材。
【請求項１５】
前記ゼオライト中の抗生作用を有する金属イオンの量は該ゼオライトの重量を基準として１５重量％以下である、請求項１３または１４に記載の創傷被覆材。
【請求項１６】
前記抗生作用を有する金属イオンは銀イオンを含む、請求項１３〜１５のいずれか１項に記載の創傷被覆材。
【請求項１７】
希釈剤をさらに含む、請求項１〜１６のいずれか１項に記載の創傷被覆材。
【請求項１８】
前記希釈剤は揮発性希釈剤である、請求項１７に記載の創傷被覆材。
【請求項１９】
前記揮発性希釈剤は揮発性シリコーン流動体を含む、請求項１８に記載の創傷被覆材。
【請求項２０】
前記希釈剤の量は前記組成物の１重量％を越える、請求項１７〜１９のいずれか１項に記載の創傷被覆材。
【請求項２１】
前記希釈剤の粘度が、２５℃でＡＳＴＭ  Ｄ−４４５、ＩＰ７１の試験方法によって測定した場合１０ｍｍ２ｓ−１以下である、請求項１７〜２０のいずれか１項に記載の創傷被覆材。
【請求項２２】
前記組成物から前記揮発性希釈剤が気化すると、得られる組成物の粘度が高くなる、請求項１８〜２１のいずれか１項に記載の創傷被覆材。
【請求項２３】
前記不揮発性シリコーン流動体の粘度は２５℃で測定した場合２００，０００センチストーク以下である、請求項１〜２２のいずれか１項に記載の創傷被覆材。
【請求項２４】
前記組成物は、延展可能なクリーム、ゲル、オイル、ライトグリースまたは液体の移動式スプレーの形状である、請求項１〜２３のいずれか１項に記載の創傷被覆材。
【請求項２５】
１〜５重量％のヒュームドシリカと、
３５〜６５重量％の不揮発性シリコーン流動体と、
２５〜６５重量％の揮発性希釈剤と、
１〜５重量％の抗菌作用性物質とを含み、
前記組成物の成分の合計が１００重量％となる、請求項１〜２４のいずれか１項に記載の創傷被覆材。
【請求項２６】
損傷した組織の瘢痕化の低減、予防または改善のための、請求項１〜２５のいずれか１項に記載の創傷被覆材。
【請求項２７】
組織に医薬活性物質を局所送達するための、請求項１〜２６のいずれか１項に記載の創傷被覆材。
【請求項２８】
抗菌作用性物質、および不揮発性シリコーン流動体とヒュームドシリカとの混合物を接触させることを含む、請求項１〜２７のいずれか１項に記載の組成物を含む創傷被覆材の製造方法。
【請求項２９】
希釈剤を添加する段階をさらに有する、請求項２８に記載の創傷被覆材製造方法。
【請求項３０】
請求項１〜２７のいずれか１項に記載の創傷被覆材を含む局所的医薬品送達システム。
【請求項３１】
請求項１〜２７のいずれか１項に記載の創傷被覆材物を含有するリザーバーと、該リザーバーから前記組成物を分配供給するために前記リザーバーと連通しているディスペンサーとを有するアプリケータ。
【請求項３２】
前記ディスペンサーはスプレー、ローラーボールまたはアプリケータを有する、請求項３１に記載のアプリケータ。
【請求項３３】
本明細書の詳細な説明に関して実質的にここに定義されている組成物。
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
一般式（Ｉ）
【化１】
2005502636.tif 000001
［式中、
Ｒ１は、水素、ハロゲン、Ｃ１-Ｃ６−アルキル、Ｃ６-Ｃ１０−アリール、Ｃ５-Ｃ８−ヘテロアリール、Ｃ３-Ｃ８−シクロアルキルまたはＣ１-Ｃ６−アルコキシを表し、ここでＲ１は、１〜３個の置換基Ｒ１−１で任意に置換されていてよく、Ｒ１−１は、ハロゲン、アミノ、モノ−またはジ−Ｃ１-Ｃ６−アルキルアミノ、またはＣ１-Ｃ６−アルコキシであり、
Ｒ２は、水素、ハロゲン、Ｃ１-Ｃ６−アルキル、Ｃ６-Ｃ１０−アリール、Ｃ５-Ｃ８−ヘテロアリール、Ｃ３-Ｃ８−シクロアルキルまたはＣ１-Ｃ６−アルコキシを表し、ここでＲ２は、１〜３個の置換基Ｒ２−１で任意に置換されていてよく、Ｒ２−１はハロゲン、アミノ、モノ−またはジ−Ｃ１-Ｃ６−アルキルアミノ、またはＣ１-Ｃ６−アルコキシであり、
または
Ｒ１およびＲ２は、それらが結合する炭素原子と一緒になってＣ６-Ｃ１０−アリール−、Ｃ５-Ｃ８−ヘテロアリール−、Ｃ５-Ｃ８−シクロアルキル−またはＣ５-Ｃ８−ヘテロ環状の環を形成し、
ここでその環は、Ｃ１-Ｃ６−アルキル、Ｃ１-Ｃ６−アルコキシ、ハロゲン、シアノ、アミノ、モノ−またはジ−Ｃ１-Ｃ６−アルキルアミノ、またはＣＯＲ２-２で任意に置換されており、Ｒ２-２は、ＯＨ、Ｃ１-Ｃ６−アルコキシ、Ｃ６-Ｃ１０−アリールオキシ、アミノ、モノ−またはジ−Ｃ１-Ｃ６−アルキルアミノであり、
Ｒ３は水素またはＣ１-Ｃ６−アルキルを表し、
Ｒ４は−ＣＯＲ４-１を表し、ここで
Ｒ４-１はＣ６-Ｃ１０−アリールまたはヘテロアリールを表し、
Ｒ４-１はハロゲン、アミノ、Ｃ１-Ｃ６−アルキル、Ｃ１-Ｃ６−アルコキシ、モノ−またはジ−Ｃ１-Ｃ６−アルキルアミノ、トリフルオロメチル、シアノ、ニトロおよびヒドロキシからなる群から選択される１〜３個の置換基で任意に置換されていてよい、
但し、該化合物が、８-ベンゾイル-Ｈ-イミダゾ[１,２,-ａ]ピリジン-５-オンまたは８-ベンゾイル-１-メチルイミダゾ[１,２,-a]ピリジン-５-オンでない場合]の化合物、またはそれらの薬学的に許容し得る塩。
【請求項２】
請求項１記載の一般式(Ｉ) 
［式中、
Ｒ１は、水素、Ｃ１-Ｃ６−アルキルまたはＣ３-Ｃ８−シクロアルキルを表し、ここでＲ１は１〜３個の置換基Ｒ１−１で任意に置換されていてよく、Ｒ１−１はＣ１-Ｃ６−アルコキシであり、
Ｒ２は、水素、Ｃ１-Ｃ６−アルキルまたはＣ３-Ｃ８−シクロアルキルを表し、ここでＲ２は１〜３個の置換基Ｒ２−１で任意に置換されていてよく、Ｒ２−１はＣ１-Ｃ６−アルコキシであり、
または
Ｒ１およびＲ２は、それらが結合する炭素原子と一緒になってＣ６-Ｃ１０−アリール−またはＣ５-Ｃ８−シクロアルキル−環を形成し、
ここで該環は、Ｃ１-Ｃ６−アルキル、Ｃ１-Ｃ６−アルコキシまたはハロゲンで任意に置換されており、
Ｒ３は、水素を表し、
Ｒ４は、−ＣＯＲ４-１を表し、ここで
Ｒ４-１は、Ｃ６-Ｃ１０−アリールまたはヘテロアリールを表し、
ここでＲ４-１はハロゲン、Ｃ１-Ｃ６−アルキル、Ｃ１-Ｃ６−アルコキシ、トリフルオロメチルまたはヒドロキシよりなる群から選択される１〜３個の置換基で任意に置換されていてよく、
但し、該化合物が８−ベンゾイル−Ｈ−イミダゾ［１,２−ａ］ピリジン−５−オンまたは８−ベンゾイル−１−メチルイミダゾ［１,２−ａ］ピリジン−５−オンでない場合]の化合物、または薬学的に許容し得るそれらの塩。
【請求項３】
請求項１記載の一般式(Ｉ)
［式中、
Ｒ１は水素またはＣ１-Ｃ６−アルキルを表し、
Ｒ２は水素またはＣ１-Ｃ６−アルキルを表し、
または
Ｒ１およびＲ２は、それらが結合する炭素原子と一緒になってＣ５-Ｃ８−シクロアルキル−環を形成し、
ここで該環はＣ１-Ｃ６−アルキルで任意に置換されており、
Ｒ３は水素を表し、
Ｒ４は−ＣＯＲ４-１を表し、ここで
Ｒ４-１はＣ６-Ｃ１０−アリールまたはヘテロアリールを表し、
ここでＲ４-１はハロゲンおよびＣ１-Ｃ６−アルキルよりなる群から選択される１〜３個の置換基で任意に置換されていてよく、
但し、該化合物は、８-ベンゾイル-Ｈ-イミダゾ[１,２,-a]ピリジン-５-オンまたは８-ベンゾイル-１-メチルイミダゾ[１,２,-a]ピリジン-５-オンでない場合]の化合物、または薬学的に許容し得るそれらの塩。
【請求項４】
Ｒ３が水素である、請求項１記載の一般式(Ｉ)の化合物。
【請求項５】
請求項１記載の一般式(Ｉ)［式中、Ｒ４は−Ｃ（Ｏ）Ｃ６Ｈ５であり、ここでＲ４はハロゲン、アミノ、Ｃ１-Ｃ６−アルキル、Ｃ１-Ｃ６−アルコキシ、モノ−またはジ−Ｃ１-Ｃ６−アルキルアミノ、トリフルオロメチルおよびシアノよりなる群から選択される１〜３個の基で任意に置換されていてよい]の化合物。
【請求項６】
請求項１記載の一般式(Ｉ)
［式中、Ｒ１およびＲ２は、それらが結合する炭素原子と一緒になって置換シクロヘキシル環を形成する]の化合物。
【請求項７】
一般式（ＩＩ）
【化２】
2005502636.tif 000002
［式（II）中、Ｒ１、Ｒ２およびＲ４は上記意味を表す]を
［Ａ］塩基の存在下にＣ１-Ｃ６−アルキルプロピオール酸エステルと、または
［Ｂ］塩基の非存在下にＣ１-Ｃ６−アルキルプロピオール酸エステルと、または
［Ｃ］３−オキソプロピオン酸Ｃ１-Ｃ６−アルキルエステルと、または
［Ｄ］一般式（IＶ）の化合物
【化３】
2005502636.tif 000003
［式（IＶ）中、Ｒ'はＣ１-Ｃ６−アルキルまたはＣ１-Ｃ６−アルキルカルボニルである]と、または
［Ｅ］カルボニルジイミダゾールの存在下にプロピオール酸と
反応させることを特徴とする、一般式（Ｉ）の化合物の合成方法。
【請求項８】
少なくとも１つの請求項１記載の一般式（Ｉ）の化合物および薬学的に許容し得る稀釈剤を含有する組成物。
【請求項９】
急性および慢性炎症性プロセスの処置用の請求項８記載の組成物。
【請求項１０】
一般的な補助剤と共に請求項１記載の一般式(Ｉ)の化合物を、適当な適用形態に導くことを特徴とする、請求項８および９に記載の組成物の製造方法。
【請求項１１】
医薬品製造のための、請求項１記載の一般式(Ｉ)の化合物の使用。
【請求項１２】
急性および慢性炎症性プロセスを処置するための医薬品製造のための、請求項１１記載の使用。
【請求項１３】
該プロセスがＣＯＰＤである、請求項１２記載の使用。
【請求項１４】
抗炎症有効量の少なくとも１つの請求項１記載の化合物を、ヒトおよび動物に投与することによって、急性および慢性炎症性プロセスを制御するためのプロセス。
【手続補正書】
【提出日】平成17年6月21日(2005.6.21)
【手続補正１】
【補正対象書類名】特許請求の範囲
【補正対象項目名】全文
【補正方法】変更
【補正の内容】
【特許請求の範囲】
【請求項１】
下記の式（Ｉ）で表される化合物を有効成分とする神経因性疼痛または群発もしくは偏頭痛に伴う疼痛を防止または処置するための医薬製剤：
【化１】
2005502631.tif 000001
上式中、フェニルはＸでフッ素、塩素、臭素およびヨウ素からなる群から独立して選択される１〜５個のハロゲン原子により置換され；そして
Ｒ1、Ｒ2、Ｒ3およびＲ4は水素およびＣ1−Ｃ4アルキルからなる群から独立して
選択され：ここでＣ1−Ｃ4アルキルはフェニル（ここでフェニルはハロゲン、Ｃ1−Ｃ
4アルキル、Ｃ1−Ｃ4アルコキシ、アミノ、ニトロおよびシアノからなる群から独立し
て選択される置換基で場合によって置換される）で場合によって置換される。
【請求項２】
下記の式（Ｉ）で表される化合物を有効成分とする神経因性疼痛を防止または処置するための医薬製剤：
【化２】
2005502631.tif 000002
上式中、フェニルはＸでフッ素、塩素、臭素およびヨウ素からなる群から独立して選択される１〜５個のハロゲン原子により置換され；そして
Ｒ1、Ｒ2、Ｒ3およびＲ4は水素およびＣ1−Ｃ4アルキルからなる群から独立して
選択され：ここでＣ1−Ｃ4アルキルはフェニル（ここでフェニルはハロゲン、Ｃ1−Ｃ
4アルキル、Ｃ1−Ｃ4アルコキシ、アミノ、ニトロおよびシアノからなる群から独立し
て選択される置換基で場合によって置換される）で場合によって置換される。
【請求項３】
下記の式（Ｉ）で表される化合物を有効成分とする群発および偏頭痛に伴う疼痛を防止または処置するための医薬製剤：
【化３】
2005502631.tif 000003
上式中、フェニルはＸでフッ素、塩素、臭素およびヨウ素からなる群から独立して選択される１〜５個のハロゲン原子により置換され；そして
Ｒ1、Ｒ2、Ｒ3およびＲ4は水素およびＣ1−Ｃ4アルキルからなる群から独立して
選択され：ここでＣ1−Ｃ4アルキルはフェニル（ここでフェニルはハロゲン、Ｃ1−Ｃ
4アルキル、Ｃ1−Ｃ4アルコキシ、アミノ、ニトロおよびシアノからなる群から独立し
て選択される置換基で場合によって置換される）で場合によって置換される。
【請求項４】
Ｘが塩素である請求項１〜３のいずれかに記載の製剤。
【請求項５】
Ｘがフェニル環のオルトの位置で置換されている請求項１〜４のいずれかに記載の製剤。
【請求項６】
Ｒ1、Ｒ2、Ｒ3およびＲ4が水素から選択される請求項１〜３のいずれかに記載の製剤。
【請求項７】
式（Ｉ）の化合物が式（Ｉ）の化合物のラセミ混合物、式（Ｉ）の化合物のあるエナンチオマーおよび式（Ｉ）の化合物のあるエナンチオマーが優勢なエナンチオマー混合物からなる群から選択される、請求項１〜６のいずれかに記載の製剤。
【請求項８】
式（Ｉ）のあるエナンチオマーが約９０％以上まで占める請求項７に記載の製剤。
【請求項９】
式（Ｉ）のあるエナンチオマーが約９８％以上まで占める請求項７に記載の製剤。
【請求項１０】
式（Ｉ）の化合物が、式（Ｉｃ）：
【化６】
2005502631.tif 000004
で表されるエナンチオマーまたは式（Ｉｃ）で表されるエナンチオマーが優勢なエナンチオマー混合物である、請求項７〜９のいずれかに記載の製剤。
【請求項１１】
神経因性疼痛が慢性または衰弱状態から生じる請求項２および４〜１０のいずれかに記載の製剤。
【請求項１２】
慢性または衰弱状態が、有痛性糖尿病性末梢ニューロパシー、帯状疱疹後神経痛、三叉神経痛、発作後疼痛、多発性硬化症に伴う疼痛、特発性または外傷後ニューロパシーおよび単神経炎のようなニューロパシーに伴う疼痛、ＨＩＶに伴う神経因性疼痛、ガンに伴う神経因性疼痛、手根管関連神経因性疼痛、脊髄損傷に伴う疼痛、難治性局所疼痛症候群、線維性筋痛に伴う神経因性疼痛、腰部および頸部の疼痛、反射性交感神経性ジストロフィー、幻肢痛症候群および他の慢性および衰弱状態に伴う疼痛症候群からなる群から選択される、請求項１１に記載の製剤。
【請求項１３】
有効成分が約０．０１ｍｇ／Ｋｇ／用量〜約１００ｍｇ／Ｋｇ／用量で必要とされる患者に投与される請求項１０に記載の製剤。
【請求項１４】
製剤が、神経因性疼痛ならびに群発および偏頭痛に伴う疼痛の進行を緩慢にするか、または遅らせるために使用される請求項１に記載の製剤。
【請求項１５】
有効成分が約０．０１ｍｇ／Ｋｇ／用量〜約１００ｍｇ／Ｋｇ／用量で必要とされる患者に投与される請求項１４に記載の製剤。
【手続補正書】
【提出日】平成17年6月28日(2005.6.28)
【手続補正１】
【補正対象書類名】特許請求の範囲
【補正対象項目名】全文
【補正方法】変更
【補正の内容】
【特許請求の範囲】
【請求項１】
女性対象に投与した場合に、生殖能力に影響を与えるのに十分な量の長いペントラキシンPTX3の活性を変化させる薬剤を含む医薬組成物。
【請求項２】
薬剤がPTX3 ポリペプチドである、請求項1の組成物。
【請求項３】
PTX3ポリペプチドがヒト起源のものである、請求項2の組成物。
【請求項４】
薬剤がPTX3ポリヌクレオチドである、請求項1の組成物。
【請求項５】
PTX3 ポリヌクレオチドがヒト起源のものである、請求項4の組成物。
【請求項６】
薬剤が女性対象における内因性PTX3遺伝子の発現を上昇させる、請求項1の組成物。
【請求項７】
薬剤が女性対象における内因性PTX3遺伝子の発現を低下させる、請求項1の組成物。
【請求項８】
全身的に投与される、請求項1の組成物。
【請求項９】
局所的に投与される、請求項1の組成物。
【請求項１０】
ヒト女性における生殖能力を診断するためのPTX3タンパク質を含む診断マーカー。
【請求項１１】
以下の工程を含む生殖能力の測定方法:
(a)女性対象における長いペントラキシン PTX3の量を検出する工程、および、
(b)該PTX3の量と生殖能力とを相関づける工程。
【請求項１２】
以下の工程を含む生殖能力に影響を与える薬剤のスクリーニング方法:
(a)候補薬剤のライブラリーを提供する工程、
(b)候補薬剤の存在下での長いペントラキシンPTX3の活性を測定する工程、
(c)PTX3の活性を変化させる能力によって少なくとも１つの薬剤を選択する工程、および、
(d)選択した薬剤が女性対象における生殖能力に影響を与えるかを確認する工程。
【請求項１３】
請求項12の方法によって得られる薬剤。
【請求項１４】
長いペントラキシンPTX3の活性を低下させる医薬の調製のために遺伝子操作された哺乳類細胞または非ヒト哺乳類。
【請求項１５】
女性対象における生殖能力を回復させる薬剤を同定するための医薬の調製のための請求項14の哺乳類細胞または非ヒト哺乳類。
【手続補正２】
【補正対象書類名】明細書
【補正対象項目名】０１０６
【補正方法】削除
【補正の内容】
【手続補正３】
【補正対象書類名】明細書
【補正対象項目名】０１０７
【補正方法】変更
【補正の内容】
【０１０７】
本発明がその精神または基本的特徴から逸脱することなくその他の特定の形態において実施化できることが当業者にとって明らかである。記載された態様は単に本発明を例示するものであって、限定するものではない。なぜなら本発明に与えられる法的保護範囲は、本明細書ではなく添付の特許請求の範囲によって示されるからである。
【手続補正書】
【提出日】平成17年8月24日(2005.8.24)
【手続補正１】
【補正対象書類名】特許請求の範囲
【補正対象項目名】全文
【補正方法】変更
【補正の内容】
【特許請求の範囲】
【請求項１】
式
【化１】
2005502693.tif 000001
（式中、
Ｒ1は、それぞれが非置換、またはヒドロキシ、ハロゲン、Ｃ1〜Ｃ18アルキル、Ｃ1〜Ｃ18アルコキシ、アミノ、Ｃ1〜Ｃ5モノアルキルアミノもしくはジ−Ｃ1〜Ｃ5アルキルアミノによって一置換もしくは多置換されたＣ1〜Ｃ18アルキル、Ｃ2〜Ｃ18アルケニル、Ｃ6〜Ｃ10アリール、またはＣ6〜Ｃ10ヘテロアリール基；それぞれが非置換、またはＣ1〜Ｃ5アルキルによって置換されたＣ5〜Ｃ7シクロアルキル、またはＣ5〜Ｃ7シクロアルケニル；−ＯＲ′；あるいは−ＮＲ′Ｒ″であり；
Ｒ2は、水素；それぞれが非置換、またはヒドロキシ、ハロゲン、Ｃ1〜Ｃ18アルコキシ、アミノ、Ｃ1〜Ｃ5モノアルキルアミノもしくはジ−Ｃ1〜Ｃ5アルキルアミノによって一置換もしくは多置換されたＣ1〜Ｃ18アルキル、Ｃ2〜Ｃ18アルケニル、Ｃ6〜Ｃ10アリール、またはＣ6〜Ｃ10ヘテロアリール基；−ＯＲ′；−ＮＲ′Ｒ″；あるいは非置換またはＣ1〜Ｃ5アルキル置換された−ＳＯ2−フェニルであるか；または
Ｒ1およびＲ2は一緒になって、５〜７員の単環の炭素環または複素環を形成し；
Ｒ3は、水素、Ｃ1〜Ｃ6アルキルまたはＣ1〜Ｃ6アルコキシであり；
Ｒ′およびＲ″は、それぞれ互いに独立して、水素；非置換、一−もしくは多−ヒドロキシ−、ハロ−、Ｃ1〜Ｃ18アルキル−、Ｃ1〜Ｃ18アルコキシ−、アミノ−、もしくは第四級アンモニウム基−置換されたＣ1〜Ｃ18アルキル、Ｃ5〜Ｃ7シクロアルキル、またはフェニルであり；そして
ｎは、０または１であり；
ここで、Ｒ2が−ＯＲ′または−ＮＲ′Ｒ″であり、ｎ＝１の場合、Ｒ1は同時に−ＯＲ′または−ＮＲ′Ｒ″とはならない）で示される化合物。
【請求項２】
塩基または酸の存在下、式
【化４】
2005502693.tif 000002
（式中、Ｒ3は、式（１）のものと同義である）で示されるジフェニルビスアルデヒドを、式
【化５】
2005502693.tif 000003
（式中、Ｒ1、Ｒ2、Ｒ3およびｎは、請求項１のものと同義である）で示される化合物と反応させることを含む、請求項１記載の式（１）で示される化合物の製造方法。
【請求項３】
ヒトおよび動物の毛髪および皮膚をＵＶ光から防御するための、式
【化６】
2005502693.tif 000004
（式中、
Ｒ1は、それぞれが非置換、またはヒドロキシ、ハロゲン、Ｃ1〜Ｃ18アルキル、Ｃ1〜Ｃ18アルコキシ、アミノ、Ｃ1〜Ｃ5モノアルキルアミノもしくはジ−Ｃ1〜Ｃ5アルキルアミノによって一置換もしくは多置換されたＣ1〜Ｃ18アルキル、Ｃ2〜Ｃ18アルケニル、Ｃ6〜Ｃ10アリール、またはＣ6〜Ｃ10ヘテロアリール基；それぞれが非置換、またはＣ1〜Ｃ5アルキルによって置換されたＣ5〜Ｃ7シクロアルキル、またはＣ5〜Ｃ7シクロアルケニル；−ＯＲ′；あるいは−ＮＲ′Ｒ″であり；
Ｒ2は、水素；それぞれが非置換、またはヒドロキシ、Ｃ1〜Ｃ18アルコキシ、アミノ、Ｃ1〜Ｃ5モノアルキルアミノもしくはジ−Ｃ1〜Ｃ5アルキルアミノによって一置換もしくは多置換されたＣ1〜Ｃ18アルキル、Ｃ2〜Ｃ18アルケニル、Ｃ6〜Ｃ10アリール、またはＣ6〜Ｃ10ヘテロアリール基；−ＯＲ′；あるいは−ＮＲ′Ｒ″であるか；または
Ｒ1およびＲ2は一緒になって、５〜７員の単環の炭素環または複素環を形成し；
Ｒ3は、水素、Ｃ1〜Ｃ6アルキルまたはＣ1〜Ｃ6アルコキシであり；
Ｒ′およびＲ″は、それぞれ互いに独立して、水素；非置換、一−もしくは多−ヒドロキシ−、ハロ−、Ｃ1〜Ｃ18アルキル−、Ｃ1〜Ｃ18アルコキシ−、アミノ−、もしくは第四級アンモニウム基−置換されたＣ1〜Ｃ18アルキル、Ｃ5〜Ｃ7シクロアルキル、またはフェニルであり；そして
ｎは、０または１であり；
ここで、Ｒ2が−ＯＲ′または−ＮＲ′Ｒ″であり、ｎ＝１の場合、Ｒ1は同時に−ＯＲ′または−ＮＲ′Ｒ″とはならない）で示されるビフェニレン化合物の使用。
【請求項４】
少なくとも１種以上の、請求項１記載の式（１）で示される化合物を、化粧料として許容できる担体または助剤と一緒に含む化粧用製剤。
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
吸入用エアロゾル懸濁液処方物を含む計量用量吸入器であって、該吸入用エアロゾル懸濁液処方物は、以下を含有する：有効量のフロ酸モメタゾン；有効量のフマル酸フォルモテロール；および１，１，１，２，３，３，３−ヘプタフルオロプロパン；ここで、フロ酸モメタゾン：フマル酸フォルモテロールの比率は、約４００μｇのフロ酸モメタゾン：約１２μｇのフマル酸フォルモテロールから約５０μｇのフロ酸モメタゾン：約６μｇのフマル酸フォルモテロールまでであり、ここで、該フマル酸フォルモテロールは、該フロ酸モメタゾンと共に凝結し、ここで、該処方物は、実質的に担体を含まない、
吸入用エアロゾル懸濁液処方物を含む計量用量吸入器。
【請求項２】
さらに、界面活性剤を含有する、請求項１に記載の吸入用エアロゾル懸濁液処方物を含む計量用量吸入器。
【請求項３】
前記フロ酸モメタゾンが、約５０μｇの量で存在しており、そして前記フマル酸フォルモテロールが、約６μｇの量で存在している、請求項１に記載の吸入用エアロゾル懸濁液処方物を含む計量用量吸入器。
【請求項４】
前記フロ酸モメタゾンが、約１００μｇの量で存在しており、そして前記フマル酸フォルモテロールが、約６μｇの量で存在している、請求項１に記載の吸入用エアロゾル懸濁液処方物を含む計量用量吸入器。
【請求項５】
前記フロ酸モメタゾンが、約５０μｇの量で存在しており、そして前記フマル酸フォルモテロールが、約８μｇの量で存在している、請求項１に記載の吸入用エアロゾル懸濁液処方物を含む計量用量吸入器。
【請求項６】
前記フロ酸モメタゾンが、約１００μｇの量で存在しており、そして前記フマル酸フォルモテロールが、約８μｇの量で存在している、請求項１に記載の吸入用エアロゾル懸濁液処方物を含む計量用量吸入器。
【請求項７】
前記フロ酸モメタゾンが、約２００μｇの量で存在しており、そして前記フマル酸フォルモテロールが、約１２μｇの量で存在している、請求項１に記載の吸入用エアロゾル懸濁液処方物を含む計量用量吸入器。
【請求項８】
前記フロ酸モメタゾンが、約４００μｇの量で存在しており、そして前記フマル酸フォルモテロールが、約１２μｇの量で存在している、請求項１に記載の吸入用エアロゾル懸濁液処方物を含む計量用量吸入器。
【請求項９】
気道におけるアレルギー反応および炎症反応を治療する方法であって、吸入により、請求項１に記載のエアロゾル懸濁液処方物を投与する工程を包含する、方法。
【請求項１０】
吸入用エアロゾル懸濁液処方物を製造する方法であって、該吸入用エアロゾル懸濁液処方物は、以下を含有する：有効量のフロ酸モメタゾン；有効量のフマル酸フォルモテロール；および１，１，１，２，３，３，３−ヘプタフルオロプロパン；ここで、フロ酸モメタゾン：フマル酸フォルモテロールの比率は、約４００μｇのフロ酸モメタゾン：約１２μｇのフマル酸フォルモテロールから約５０μｇのフロ酸モメタゾン：約６μｇのフマル酸フォルモテロールまでであり、ここで、該フマル酸フォルモテロールは、該エアロゾル懸濁処方物において該フロ酸モメタゾンと共に凝結し、ここで、該処方物は、バルキング剤を含まず、該方法は、以下の工程を包含する：
ａ）微粉化したフロ酸モメタゾンおよびフマル酸フォルモテロールの乾燥粉末ブレンドと乾燥粉末界面活性剤とを混合して、均一混合物を形成する工程；
ｂ）該混合物を計量用量吸入器キャニスターに充填する工程；
ｃ）該キャニスターを絞り弁でクリンプする工程；および
ｄ）該キャニスターに非クロロフルオロカーボン噴霧剤を充填する工程。
【請求項１１】
請求項１０に記載の方法により製造された、製品。
【請求項１２】
前記乾燥粉末界面活性剤が、レシチン、ステアリン酸、パルミチン酸、ステアリン酸マグネシウム、パルミチン酸マグネシウムおよびラウリン酸マグネシウムからなる群から選択される、請求項１０に記載の方法。
【請求項１３】
吸入用エアロゾル懸濁液処方物を含む計量用量吸入器であって、該吸入用エアロゾル懸濁液処方物は、以下を含有する：有効量のフロ酸モメタゾン；有効量のフマル酸フォルモテロール；乾燥粉末界面活性剤；および１，１，１，２，３，３，３−ヘプタフルオロプロパン；ここで、フロ酸モメタゾン：フマル酸フォルモテロールの比率は、約４００μｇのフロ酸モメタゾン：約１２μｇのフマル酸フォルモテロールから約５０μｇのフロ酸モメタゾン：約６μｇのフマル酸フォルモテロールまでであり、ここで、該フマル酸フォルモテロールは、該フロ酸モメタゾンと共に凝結し、ここで、該処方物は、追加賦形剤を含まず、ここで、該計量用量吸入器は、該計量用量吸入器を作動すると、均一薬剤含量を有する用量を発する、
吸入用エアロゾル懸濁液処方物を含む計量用量吸入器。
【請求項１４】
吸入用エアロゾル懸濁液処方物を含む計量用量吸入器であって、該吸入用エアロゾル懸濁液処方物は、以下を含有する：有効量のフロ酸モメタゾン；有効量のフマル酸フォルモテロール；および１，１，１，２，３，３，３−ヘプタフルオロプロパン；ここで、フロ酸モメタゾン：フマル酸フォルモテロールの比率は、約４００μｇのフロ酸モメタゾン：約１２μｇのフマル酸フォルモテロールから約５０μｇのフロ酸モメタゾン：約６μｇのフマル酸フォルモテロールまでであり、ここで、該フマル酸フォルモテロールは、該フロ酸モメタゾンと共に凝結し、ここで、該処方物は、０．１％未満のフロ酸モメタゾンのエポキシド崩壊生成物を含有する、
吸入用エアロゾル懸濁液処方物を含む計量用量吸入器。
【請求項１５】
吸入用エアロゾル懸濁液処方物を含む計量用量吸入器であって、該吸入用エアロゾル懸濁液処方物は、以下を含有する：有効量のフロ酸モメタゾン；有効量のフマル酸フォルモテロール；および１，１，１，２，３，３，３−ヘプタフルオロプロパン；ここで、フロ酸モメタゾン：フマル酸フォルモテロールの比率は、約４００μｇのフロ酸モメタゾン：約１２μｇのフマル酸フォルモテロールから約５０μｇのフロ酸モメタゾン：約６μｇのフマル酸フォルモテロールまでであり、ここで、該フマル酸フォルモテロールは、該フロ酸モメタゾンと共に凝結し、ここで、該計量用量吸入器を作動すると分配される微粒子の割合は、約５５％〜約８５％であり、ここで、該微粒子は、約４．７μｍ未満の粒径を有する、
吸入用エアロゾル懸濁液処方物を含む計量用量吸入器。
【請求項１６】
前記計量用量吸入器を作動すると分配される微粒子の割合が、約６５％〜約８０％であり、ここで、該微粒子が、約４．７μｍ未満の粒径を有する、請求項１５に記載の吸入用エアロゾル懸濁液処方物を含む計量用量吸入器。
【手続補正書】
【提出日】平成17年8月5日(2005.8.5)
【手続補正１】
【補正対象書類名】特許請求の範囲
【補正対象項目名】全文
【補正方法】変更
【補正の内容】
【特許請求の範囲】
【請求項１】
以下のものを含む粉末もしくは顆粒状の形態の組成物：
（ａ）Ｌ−アスコルビン酸および／またはその薬学的に許容されうる塩、
（ｂ）高分子量ペクチン、並びに、場合により、
（ｃ）補助剤および賦形剤。
【請求項２】
高分子量ペクチンが約３００キロダルトンまたはそれ以上の平均分子量を有する、請求項１に記載の組成物。
【請求項３】
高分子量ペクチンが約３００キロダルトンから約４００キロダルトンの平均分子量を有する、請求項１に記載の組成物。
【請求項４】
高分子量ペクチンが約３５０キロダルトンの平均分子量を有する、請求項１に記載の組成物。
【請求項５】
Ｌ−アスコルビン酸ナトリウム塩を含む請求項１〜４のいずれか１項記載の組成物。
【請求項６】
ペクチンが、組成物の総重量に対し、約０．１から約１０重量％の範囲の量で存在する、請求項１〜５のいずれか１項記載の組成物。
【請求項７】
ペクチンが、組成物の総重量に対し、約０．５から約２重量％の範囲の量で存在する、請求項１〜５のいずれか１項記載の組成物。
【請求項８】
９５〜９９重量％のＬ−アスコルビン酸および／またはその薬学的に許容されうる塩並びに５〜１重量％のペクチンからなり、該２成分の合計が１００重量％である、請求項１〜７のいずれか１項記載の組成物。
【請求項９】
圧縮された錠剤の形態である、請求項１〜８のいずれか１項記載の組成物
【手続補正書】
【提出日】平成17年8月18日(2005.8.18)
【手続補正１】
【補正対象書類名】明細書
【補正対象項目名】０１０１
【補正方法】変更
【補正の内容】
【０１０１】
行動指数
全慢性疼痛モデル(炎症性および神経因性)において、無痛覚計(ウゴ−バシーレ、ミラノ)を用いて増圧的刺激に対する両後肢の逃避閾値を測定することにより機械的痛覚過敏を評価する。両後肢の足底表面にフォンフライ毛（Von Frey Hairs）で適用した非有害性機械的刺激に対する逃避閾値を測定することにより、機械的異痛を評価する。各後肢の下側に適用した非有害性熱刺激に対する逃避潜伏期間を測定することにより、熱痛覚過敏を評価する。全モデルとも、機械的痛覚過敏および異痛および熱痛覚過敏は、術後１〜３日以内に現れ、少なくとも５０日間持続する。本明細書記載の検定法においては、薬剤を術前および術後に適用することにより痛覚過敏の発現に対するそれらの効果を評価し、特に手術の約１４日後、確立された痛覚過敏を除去するそれらの能力が測定され得る。
【手続補正２】
【補正対象書類名】明細書
【補正対象項目名】０１０５
【補正方法】変更
【補正の内容】
【０１０５】
表１は、アフィメトリックスＲＮＡプロファイリング実験から任意単位で(()内に標準偏差を付す)測定されたカテプシンＳの相対ｍＲＮＡレベルを要約している(Ｎ.Ｄ.：測定されず)。データは、カテプシンＳメッセンジャーＲＮＡが、ＣＣＩモデルでは１４および２１日目およびSeltzerモデルでは１４、２１および５０日目にシャム均等物に対してアップレギュレーションされることを示す。これらの時点は、神経因性痛覚過敏が十分に確立され、永続的であるときの条件を反映している。
【手続補正書】
【提出日】平成16年10月18日(2004.10.18)
【手続補正１】
【補正対象書類名】特許請求の範囲
【補正対象項目名】請求項３
【補正方法】変更
【補正の内容】
【請求項３】
ソラマルギンの製造方法であって、式ＩＩａ：
【化５】
2005502671.tif 000001
（式中、Ｒ2は請求項１に定義したとおりである。）のジオールの、α−Ｌ−ラムノピラノシル受容体によるグリコシル化により、式ＩＩＩ（１）の保護されたソラマルギンを製造し、これを脱エステル化して式ＩＩＩ（２）
【化６】
2005502671.tif 000002
（式中、（１）Ｒ1＝ピバロイルおよびＲ2＝ベンゾイルまたはアセチル
（２）Ｒ1＝Ｒ2＝Ｈである。）
のソラマルギンを製造する、前記方法。
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
アセチルコリンエステラーゼ阻害剤および式Ｉ：【化１】
2005502680.tif 000001
式中、ＸはＣＨ2もしくは酸素であり、Ｒ1は水素もしくはアルキルであり、そしてＲ2、Ｒ3、Ｒ4およびＲ5は独立に水素もしくは低級アルキルであり、かつＸがＣＨ2である時は、Ｒ4およびＲ5が一緒になってベンゼン環を形成するアルケン基であることができ、Ｘが酸素である時は、Ｒ2とＲ3および／もしくはＲ4とＲ5が一緒になって下記の式II：
【化２】
2005502680.tif 000002
ここで、Ｒ6およびＲ7は同一でも異なってもよく、水素、低級アルキルであるかまたはアルキルであり、かつ一緒になってシクロペンチルもしくはシクロヘキシル環を形成する、のメチレンジオキシ基であることができる、の化合物の痴呆もしくは記憶障害を処置するため併用療法剤を調製するための使用。
【請求項２】
式Ｉの化合物がトピラメートである、請求項１記載の使用。
【請求項３】
トピラメートの量が１日約１０〜約６５０ｍｇで投与されるものである、請求項２記載の使用。
【請求項４】
トピラメートの量が１日１回もしくは２回の約２５〜約３２５ｍｇで投与されるものである、請求項３記載の使用。
【請求項５】
アセチルコリンエステラーゼ阻害剤がガランタミン、リバスチグミン、ドネペジル、タクリンおよびメトリフォネートから成る群から選択される、請求項１記載の使用。
【請求項６】
アセチルコリンエステラーゼ阻害剤がガランタミンである、請求項５記載の使用。
【請求項７】
ガランタミンの量が１日約２〜約３２ｍｇで投与されるものである、請求項６記載の使用。
【請求項８】
ガランタミンの量が１日約４〜約２４ｍｇで投与されるものである、請求項７記載の使用。
【請求項９】
アセチルコリンエステラーゼ阻害剤がガランタミンであり、かつ式Ｉの化合物がトピラメートである、請求項１記載の使用。
【請求項１０】
痴呆がアルツハイマー病の結果としての痴呆、血管に関連した痴呆、多発脳梗塞性痴呆、頭部外傷の結果としての痴呆、びまん性脳損傷の結果としての痴呆、ボクサー痴呆、ハンチントン病の結果としての痴呆、アルコール中毒症の結果としての痴呆、びまん性白色物質病（ｄｉｆｆｕｓｅ  ｗｈｉｔｅ  ｍａｔｔｅｒ  ｄｉｓｅａｓｅ）の結果としての痴呆，パーキンソン病に関連した痴呆、レービー小体病の結果としての痴呆、ピック病の結果としての痴呆、マルチシステム変性（ｍｕｌｔｉｓｙｓｔｅｍ  ｄｅｇｅｎｅｒａｔｉｏｎ）の結果としての痴呆、進行性核上性麻痺の結果としての痴呆、グアムのＡＬＳ−パーキンソン病−痴呆複合物と関連した痴呆、前頭葉痴呆および皮質基底変性の結果としての痴呆、から成る群から選択される、請求項１記載の使用。
【請求項１１】
痴呆がアルツハイマー病の結果としての痴呆である、請求項１０記載の使用。
【請求項１２】
記憶障害が記憶喪失、知能減退、知的衰えおよび認知喪失から成る群から選択される、請求項１記載の使用。
【請求項１３】
治療的に有効量のアセチルコリンエステラーゼ阻害剤および式Ｉ：【化３】
2005502680.tif 000003
ＸはＣＨ2もしくは酸素であり、Ｒ1は水素もしくはアルキルであり、そしてＲ2、Ｒ3、Ｒ4およびＲ5は独立に水素もしくは低級アルキルであり、かつＸがＣＨ2である時は、Ｒ4およびＲ5が一緒になってベンゼン環を形成するアルケン基であることができ、Ｘが酸素である時は、Ｒ2とＲ3および／もしくはＲ4とＲ5が一緒になって下記の式II：
【化４】
2005502680.tif 000004
ここで、Ｒ6およびＲ7は同一でも異なってもよく、水素、低級アルキルであるかまたはアルキルであり、かつ一緒になってシクロペンチルもしくはシクロヘキシル環を形成する、のメチレンジオキシ基であることができる、の化合物の痴呆もしくは記憶障害の行動的、精神医学的もしくは心理学的徴候もしくは症状を処置するための併用療法剤を調製するための使用。
【請求項１４】
式Ｉの化合物がトピラメートである、請求項１３記載の使用。
【請求項１５】
トピラメートの量が１日約１０〜約６５０ｍｇで投与されるものである、請求項１４記載の使用。
【請求項１６】
トピラメートの量が１日１回もしくは２回約２５〜約３２５ｍｇで投与されるものである、請求項１５記載の使用。
【請求項１７】
アセチルコリンエステラーゼ阻害剤がガランタミン、リバスチグミン、ドネペジル、タクリンおよびメトリフォネートから成る群から選択される、請求項１３記載の使用。
【請求項１８】
アセチルコリンエステラーゼ阻害剤がガランタミンである、請求項１７記載の使用。
【請求項１９】
ガランタミンの量が１日約２〜約３２ｍｇで投与されるものである、請求項１８記載の使用。
【請求項２０】
ガランタミンの量が１日約４〜約３２ｍｇで投与されるものである、請求項１９記載の使用。
【請求項２１】
アセチルコリンエステラーゼ阻害剤がガランタミンであり、かつ式Ｉの化合物がトピラメートである、請求項１３記載の使用。
【請求項２２】
ガランタミン、トピラメートおよび医薬として許容できる担体を含んで成る医薬組成物。
【請求項２３】
ガランタミン、トピラメートおよび医薬として許容できる担体を混合することにより製造される医薬組成物。
【請求項２４】
ガランタミン、トピラメートおよび医薬として許容できる担体を混合することを含んで成る医薬組成物の製法。
【請求項２５】
処置を必要とする患者の、（ａ）痴呆、（ｂ）記憶喪失、（ｃ）知的衰え、（ｄ）知能減退、（ｅ）認知喪失もしくは（ｆ）痴呆もしくは記憶障害の行動的、精神医学的および／もしくは心理学的徴候もしくは症状、を処置するための医薬の調製のためのトピラメートおよびガランタミンの使用。
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
冠動脈組織への損傷の治癒または予防を促進する際に使用するための組成物であって、アミノ酸配列ＬＫＫＴＥＴを含む血管新生誘発性かつ抗炎症性ポリペプチドまたは血管新生誘発性かつ抗炎症性活性を有するその保存的変異型を含む有効量の組成物を含有している組成物。
【請求項２】
前記損傷は、有害な心筋障害の結果として生じる請求項１に記載の組成物。
【請求項３】
前記組成物はＬＫＫＴＥＴのＮ末端またはＣ末端変異型を含有している請求項１に記載の組成物。
【請求項４】
前記組成物はＫＬＫＫＴＥＴまたはＬＫＫＴＥＴＱを含有している請求項１に記載の組成物。
【請求項５】
前記ポリペプチドはＴβ４、Ｔβ４のアイソフォーム、酸化Ｔβ４またはＴβ４スルホキシドを含有している請求項１に記載の組成物。
【請求項６】
前記組成物は、全身投与される請求項１に記載の組成物。
【請求項７】
前記組成物は、前記冠動脈組織へ直接的に投与される請求項１に記載の組成物。
【請求項８】
前記ポリペプチドは、組換えまたは合成である請求項１に記載の組成物。
【請求項９】
前記ポリペプチドは、抗体である請求項１に記載の組成物。
【請求項１０】
前記抗体は、ポリクローナルまたはモノクローナルである請求項９に記載の組成物。
【請求項１１】
冠動脈組織への損傷の治癒または予防を促進するための組成物であって、アミノ酸配列ＬＫＫＴＥＴを含有している血管新生誘発性かつ抗炎症性ポリペプチド、または血管新生
誘発性かつ抗炎症性活性を有するその保存的変異型の産生を刺激する物質を備える組成物。
【請求項１２】
前記ポリペプチドは、サイモシンβ４である請求項１１に記載の組成物。
【請求項１３】
前記物質は、サイモシンβ４のアンタゴニストである請求項１１に記載の組成物。
【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
中枢神経系（ＣＮＳ）または末梢神経系（ＰＮＳ）の神経変性を防止または阻止するための、ＣＮＳまたはＰＮＳの神経再生を促進するための、グルタミン酸毒性からＣＮＳ細胞を保護するための、またはグルタミン酸毒性により引き起こされるかまたは悪化する損傷、障害または疾患を治療するための医薬組成物を調製するための、ポリ−Ｇｌｕ，Ｔｙｒの使用。
【請求項２】
医薬組成物が、神経変性を防止または阻止するためにＣＮＳまたはＰＮＳの損傷、障害または疾患を治療するための、または神経再生を促進するための、またはグルタミン酸毒性により引き起こされるかまたは悪化するＣＮＳまたはＰＮＳの損傷、障害または疾患を治療するための医薬組成物である、請求項１の使用。
【請求項３】
損傷、障害または疾患は、脊髄損傷、鈍的外傷、穿通性外傷、脳衝撃、対側衝撃、出血性発作、または虚血性発作である、請求項２の使用。
【請求項４】
損傷は脊髄損傷である、請求項３の使用。
【請求項５】
損傷、障害または疾患は、アルツハイマー病を含む老人性痴呆、パーキンソン病を含むパーキンソン症候群、顔面神経（ベル）まひ、ハンチントン舞踏病、筋萎縮性側策硬化症を含む運動ニューロン疾患、クロイツフェルト−ヤコブ病を含むプリオン病、アルパーズ病、バッテン病、コケーン症候群、レーヴィ小体疾患、発作重積状態、手根管症候群、椎間円板ヘルニア、ビタミン欠乏、てんかん、健忘症、不安症、痛覚過敏、精神病、発作、酸化ストレス、アヘン剤寛容と依存症、自己免疫疾患、またはアミロイド多発性神経炎のような疾患に関連する末梢血神経障害、糖尿病性ニューロパシー、尿毒症性ニューロパシー、ポルフィリン症性多発性ニューロパシー、低血糖症、シェーグレン・ラルソン症候群、急性感覚ニューロパシー、慢性失調性ニューロパシー、胆汁性肝硬変、原発性アミロイドーシス、閉塞性肺疾患、先端巨大症、吸収不良症候群、真性多血症、ＩｇＡおよびＩｇＧ免疫グロブリン血症、種々の薬剤（ニトロフラントイン、メトロニダゾール、イソニアジド、およびアルコールもしくは有機リン酸塩のような毒素）の合併症、シャルコー‐マリー‐ツース症候群、血管拡張性失調症、フリートライヒ運動失調、副腎脊髄神経障害、巨大軸索ニューロパシー、レフサム病、ファブリ病、またはリポタンパク質血漿である、請求項２の使用。
【請求項６】
損傷、障害または疾患は、眼が関連し、視神経症、年齢関連黄斑変性、網膜変性などの網膜障害、または異常に上昇した眼圧に関連する疾患である、請求項２の使用。
【請求項７】
異常に上昇した眼圧に関連する疾患は緑内障である、請求項６の使用。
【請求項８】
ポリ−Ｇｌｕ，Ｔｙｒがポリ−Ｇｌｕ５０Ｔｙｒ５０である、請求項１から７のいずれかの使用。
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
アミノアルキルポリオール、アンモニウムアルキルポリオール、ジアルカノールアミン、ジアルカノールアンモニウムを含有する１つ以上の側鎖を有してなるポリマーであって、但し、ポリマーは、
-ポリ（N,N-ジアリル-N,N-ジ（2,3-ジヒドロキシルプロピル）アミン）またはその薬学的に許容されうる塩；
-ポリ（N,N-ジアリル-N-アルキル-N-(2,3-ジヒドロキシルプロピル)アミン）またはその薬学的に許容されうる塩；または
-ポリ（N,N-ジ（2,3-ジヒドロキシプロピル）アリルアミン）またはその薬学的に許容されうる塩
ではない、ポリマー。
【請求項２】
構造式（I）：
【化１】
2005502615.tif 000001
式中、
Ｍは共有結合、-(CH2)n -、1,3-フェニレン、1,4-フェニレン、-C(O)O-、-C(O)NR1、-C(O)-、-O-、-NR1-、-N+(R1)(R3)-、-CH2NR1-、-CH2N+(R1)(R3)、または-CH2O-であり；
ｎは１より大きい整数であり；
Ｑは共有結合または不活性連結基であり；
R1は-H、脂肪族基または置換脂肪族基であり；
R2は-HまたはC1〜C6アルキル基であり；
R3は-H、C1〜C6アルキル基、またはベンジル基であり；
Ｗは、-NR4R5、-N(R6)2 、-N+ (R4)2R5 、または-N+ R4(R6)2 であり；
各R4は、独立して、-H、アルキル、またはベンジルであり；
R5はポリオールであり；
各R6は、独立して、アルカノールである、
により表されるモノマー単位を含有してなる請求項１記載のポリマーまたはその薬学的に許容されうる塩。
【請求項３】
Ｍが共有結合、-(CH2)n-、1,3-フェニレン、1,4-フェニレン、-C(O)O-、-C(0)NR1-、-C(O)-、-O-、-NR1-、-CH2NR1-、または-CH2O-であり、Ｗがアミノアルキルポリオールまたはジアルカノールアミンである請求項２記載のポリマー。
【請求項４】
ポリマーが構造式(I)：
【化２】
2005502615.tif 000002
式中、
Ｍは1,3-フェニレン、1,4-フェニレン、-C(O)O-、-C(O)NR1、-C(O)-、-O-、-NR1-、-CH2NR1-または-CH2O-であり；
Ｑは共有結合または不活性連結基であり；
R1は-H、脂肪族基または置換脂肪基であり；
R2は-HまたはC1〜C6アルキル基であり；
Ｗは-NR4R5、-N(R6)2 、-N+ (R4)2R5 、または-N+ R4(R6)2 であり；
各R4は独立して、-H、アルキル、またはベンジルであり；
R5はポリオールであり；
各R6は、独立して、アルカノールである、
により表されるモノマー単位を含有してなる請求項１記載のポリマーまたはその薬学的に許容されうる塩。
【請求項５】
ＱがC1〜C30アルキレン基である請求項２または４記載のポリマー。
【請求項６】
ＱがC1〜C15アルキレン基である請求項５記載のポリマー。
【請求項７】
Ｗがジエタノールアンモニウムジオールまたはアンモニウムアルキルジオールである請求項６記載のポリマー。
【請求項８】
Ｗがアミノアルキル-1,2-ジオールである請求項５記載のポリマー。
【請求項９】
Ｗがアミノプロパン-1,2-ジオールである請求項８記載のポリマー。
【請求項１０】
Ｗがジエタノールアミンである請求項５記載のポリマー。
【請求項１１】
Ｗがジエタノールアミンであり、ＱがC1〜C4アルキレン基である請求項４記載のポリマー。
【請求項１２】
R2が-Hまたはメチルであり、Ｍが-C(O)O-または-C(O)NH-であり、Ｑがエチレンまたはプロピレンであり、Ｗがジエタノールアミンである請求項４記載のポリマー。
【請求項１３】
ポリマーが構造式（II）:
【化３】
2005502615.tif 000003
式中、
Ｑは共有結合または不活性連結基であり；
Ｗは-NR4R5、-N(R6)2、-N+(R4)2R5、または-N+R4(R6)2であり；
各R4は、独立して、-H、-アルキル、またはベンジルであり；
R5はポリオールであり；
各R6は、独立して、アルカノールである、
により表されるモノマー単位を含有してなるポリマーまたは薬学的に許容されうる塩。
【請求項１４】
ＱがC1〜C30アルキレン基である請求項１３記載のポリマー。
【請求項１５】
ＱがC1〜C15アルキレン基である請求項１４記載のポリマー。
【請求項１６】
Ｗがアミノアルキルジオールである請求項１５記載のポリマー。
【請求項１７】
Ｗがアミノアルキル-1,2-ジオールである請求項１６記載のポリマー。
【請求項１８】
Ｗがアミノアルキル-1,2-ジオールであり、ＱがC2〜C4アルキレン基である請求項１７記載のポリマー。
【請求項１９】
Ｗがジエタノールアミンである請求項１４記載のポリマー。
【請求項２０】
Ｗがジエタノールアミン、N+H(CH2OH)2、またはN+(CH3)(CH2OH)2であり；Ｑがエチレンまたはプロピレンである請求項１４記載のポリマー。
【請求項２１】
Ｑがエチレンまたはプロピレンであり；Ｗがジエタノールアミンである請求項２０記載のポリマー。
【請求項２２】
ホモポリマーである請求項１〜２１いずれか記載のポリマー。
【請求項２３】
疎水性コモノマーを含有するコポリマーである請求項１〜２１いずれか記載のポリマー。
【請求項２４】
コポリマーが、中性の親水性コモノマーおよび疎水性コモノマーを含有するターポリマーである請求項２３記載のポリマー。 
【請求項２５】
構造式（III）：
【化４】
2005502615.tif 000004
によって表されるモノマー単位を含有してなる請求項１記載のポリマーまたはその薬学的に許容されうる塩。
【請求項２６】
薬学的に許容されうる担体または希釈剤および請求項1〜２５いずれか記載のポリマーを含有してなる医薬組成物。
【請求項２７】
胃腸管から脂肪を除去する治療を必要とする被験体の胃腸管から脂肪を除去するための医薬の製造における請求項１〜２５いずれか記載のポリマーの使用。
【請求項２８】
被験体が肥満症である請求項２７記載の使用。
【請求項２９】
被験体がII型（非インスリン依存性）糖尿病について治療される請求項２７記載の使用。
【請求項３０】
被験体が、脂肪便、グルコース寛容減損、高血圧症、冠状動脈血栓症、発作、脂質症候群、高血糖、高トリグリセリド血症、高脂血症、睡眠時無呼吸、裂孔ヘルニア、逆流性食道炎、変形性関節症、痛風、体重増加に関連する癌、胆石、腎臓結石、肺高血圧症、不妊症、心血管疾患から選ばれる１つ以上について治療される請求項２７記載の使用。
【請求項３１】
被験体が、血小板付着を減少するために、妊娠後の体重減少を減少するために、脂質レベルを減少するために、尿酸レベルを減少するために、またはシュウ酸レベルを減少するために治療される請求項２７記載の使用。